(57)【要約】【課題】任意の伝送方式の映像信号の表す映像を、任意の画面方式のディスプレイに適正に且つ鮮明に表示する。【解決手段】本映像信号処理装置９のＰＬＬ３とコントローラ７は、端子４が受信した識別信号Ｃによって、端子１から入力されてくる映像信号Ｂの伝送方式を識別する。ＰＬＬ３は、識別した映像信号Ｂの伝送方式に適した分周比を用いて、映像信号Ｂと位相比較する基準周波数を分周する。従って、最適サンプリング周波数がＡ／Ｄ変換器２に与えられる。コントローラ７は、ディスプレイ８の画面方式と、識別した映像信号Ｂの伝送方式とから、垂直拡大回路５の垂直拡大率と、水平拡大回路６の水平拡大率を決定する。その結果、垂直拡大回路５と水平拡大回路６は、ディスプレイ８と映像信号Ｂのアスペクト比の相違を相殺するような垂直拡大処理と水平拡大処理を映像信号Ｂに対して施す。【選択図】  図１
2004355013.tif 000002
【特許請求の範囲】
【請求項１】
外部から入力された映像信号をディスプレイ装置の画像方式に適合した信号方式に変換して前記ディスプレイ装置に出力する映像信号処理装置であって、
前記映像信号の伝送方式を識別する伝送方式識別手段と、
与えられた標本化周波数を用いて、前記外部から入力された映像信号を水平方向と垂直方向とにそれぞれデジタル変換する変換手段と、
与えられた水平拡大率と垂直拡大率を用いて、前記変換手段が垂直方向と水平方向とにデジタル変換した前記映像信号の水平ラインの間の画素数と垂直ラインの間の画素数を変換し、前記ディスプレイ装置に出力する画像拡大手段と、
前記伝送方式識別手段が識別した前記映像信号の伝送方式に応じて定めた標本化周波数を前記変換手段に与える第一制御手段と、
前記ディスプレイ装置の画面方式と前記映像信号の伝送方式とに応じて個々に定めた水平内挿率と垂直内挿率を前記画像拡大手段に与える第二制御手段とを備えることを特徴とする映像信号処理装置。
【請求項２】
請求項１記載の映像信号処理装置であって、
前記映像信号と共に発信される前記映像信号の伝送方式を種類を表す識別信号を受信する受信手段を備え、
前記伝送方式識別手段は、前記受信手段が受信した前記識別信号に基づいて前記映像信号の伝送方式を識別することを特徴とする映像信号処理装置。
【請求項３】
請求項１または２記載の映像信号処理装置であって、
前記第一制御手段は、前記伝送方式識別手段に識別された前記映像信号の伝送方式に応じて定めた分周比で基準周波数を分周し、前記分周した基準周波数と前記外部から入力された映像信号の周波数とを比較して、前記変換手段に与える標本化周波数を作成することを特徴とする映像信号処理装置。
【請求項４】
請求項１、２または３記載の映像信号処理装置であって、
前記第一制御手段は、前記ディスプレイ装置の走査線の水平周波数の値を前記変換手段に与える標本化周波数の上限値とし、且つ、前記外部から入力された映像信号の周波数の２倍の値を前記変換手段に与える標本化周波数の下限値とすることを特徴とする映像信号処理装置。
【発明の詳細な説明】
【技術分野】
【０００１】
本発明は、任意の伝送方式の映像信号を任意の画面方式のディスプレイ装置に適合するように変換する映像信号処理装置に関する。
【背景技術】
【０００２】
従来のテレビジョン放送の方式をカラーテレビ信号の伝送方式により分類すると、ＮＴＳＣ方式とＰＡＬ方式とＳＥＣＡＭ方式とＭＵＳＥ方式の４つの方式に大別することができる。そして、このうちのＭＵＳＥ方式は、ハイビジョン放送を実施するために開発された帯域圧縮伝送方式であり、他の３つの標準伝送方式と比較して遥かに多量の情報量を取り扱うことができるように設計されている。例えば我国の標準伝送方式として採用されているＮＴＳＣ方式と、ＭＵＳＥ方式とを比較すると、後者の取り扱う情報量は、前者の取り扱う情報量の約５倍である。
【０００３】
尚、ここで説明したカラーテレビ信号の伝送方式についての詳細は、「テレビ技術教科書」上巻 日本放送協会編集 日本放送出版 (ｐ３１〜ｐ９１)や、「ＭＵＳＥ−ハイビジョン伝送方式」 電子情報通信学会編集 コロナ社出版 (ｐ１〜ｐ８)等の文献に記載されている。
【０００４】
ところで、パーソナルコンピュータのグラフィックスには、通常、アーキテクチャ毎に異なる規格の映像信号(以下、パソコン映像信号)とディスプレイ装置とが採用されており、多くの機種には、通常、ＶＧＡモード(６４０×４８０ドット)、ＳＶＧＡモ−ド(８００×６００ドット)、ＸＧＡモ−ド(１０２４×７６８ドット)の内の何れかの規格の映像信号と液晶ディスプレイ装置が採用されている。
【０００５】
尚、ここで説明したディスプレイ装置に関する技術についての詳細は、「テレビ技術教科書」上巻 日本放送協会編集 日本放送出版 (ｐ２７７〜ｐ２８１)や、「日経エレクトロニクス」 Vol.91,pp.173-180,(1991) 日経ＢＰ社 (特集記事)等
の文献に記載されている。
【０００６】
さて、パーソナルコンピュータのグラフィックス用のディスプレイ装置には、通常、入力されたパソコン映像信号の信号方式をディスプレイ装置の規格に適合するように変調する映像信号処理装置が搭載されている。
【０００７】
以下、図２により、ＶＧＡモードのパソコン映像信号が表している映像をＸＧＡモードの液晶ディスプレイ装置の画面上に表示する場合を一例に挙げて、従来の映像信号処理装置の基本構成について説明する。尚、ここでは、標準的な規格のパソコン映像信号(フレーム周波数ｆｖ ５９．９４Ｈｚ、水平周波数ｆｈ ３１．４７ｋＨｚ、ブランキング期間を含めた解像度８００ドット×５２５ドット)を用いている。
【０００８】
従来の映像信号処理装置は、映像信号出力機器からのパソコン映像信号を入力する入力端子２０１と、入力端子２０１から入力されたパソコン映像信号を所定のサンプリング周波数(８００×ｆｈ Ｈｚ)でデジタル変換するＡ／Ｄ変換器２０２と、Ａ／Ｄ変換器２０２がデジタル変換したパソコン映像信号に周知の画素内挿処理を施して前記パソコン映像信号の表す映像を水平方向と垂直方向にそれぞれ所定の比率(１．６倍)で拡大する映像拡大回路２０３とを備える。
【０００９】
そして、映像拡大回路２０３から出力されるパソコン映像信号は、本映像信号処理装置の出力信号として、液晶ディスプレイ装置２０４へと出力される。その結果、ＸＧＡモードの液晶ディスプレイ装置２０４の画面上には、ＶＧＡモードのパソコン映像信号の表す映像が適正な状態で表示される。
【発明の開示】
【発明が解決しようとする課題】
【００１０】
ところが、上記従来の映像信号処理装置には、パソコン映像信号以外の映像信号(例えば、カラーテレビ信号等)には適正な対応ができないという欠点がある。
【００１１】
例えば、ＮＴＳＣ方式の倍速テレビジョン信号(フィ−ルド周波数ｆｖ ５９．９４Ｈｚ、水平周波数ｆｈ ３１．５ｋＨｚ、ブランキング期間を含めた解像度 ９１０×５２５ドット)や、ＭＵＳＥ方式のハイビジョン信号(フィ−ルド周波数ｆｖ ６０Ｈｚ、水平周波数ｆｈ ３３．７５ｋＨｚ、ブランキング期間を含めた解像度 １９２０×５６２．５ドット)が入力された場合であっても、Ａ／Ｄ変換器２０２においては、パソコン映像信号が入力された場合と変わらぬサンプリング周波数(８００×ｆｈ Ｈｚ)でデジタル変換が行われるため、原カラーテレビ信号に含まれている情報が間引かれることになる。従って、ＮＴＳＣ方式の倍速テレビジョン信号が入力された場合には解像度が８００／９１０に低下し、ＭＵＳＥ方式のハイビジョン信号が入力された場合には解像度が８００／１９２０に低下する。
【００１２】
更に、ＭＵＳＥ方式のハイビジョン信号の表す映像は、不自然にゆがんだ映像として再生される。即ち、ＭＵＳＥ方式のハイビジョン信号にとって好ましいとされる画面のアスペクト比が１６:９であることに反して、パーソナルコンピュータのグラフィックスに用いられる標準的なディスプレイ装置の画面のアスペクト比が４:３であるため、両者のアスペクト比の相違による映像のゆがみが生じるのである。
【００１３】
そこで、本発明は、任意の伝送方式の映像信号を任意の画面方式のディスプレイ装置に適合するように変換する映像信号処理装置を提供し、前記ディスプレイ装置の画面上に鮮明で違和感のない映像の再生することを目的とする。
【課題を解決するための手段】
【００１４】
上記課題を解決するために、本発明は、
外部から入力された映像信号をディスプレイ装置の画像方式に適合した信号方式に変換して前記ディスプレイ装置に出力する映像信号処理装置であって、
前記映像信号の伝送方式を識別する伝送方式識別手段と、
与えられた標本化周波数を用いて、前記外部から入力された映像信号を水平方向と垂直方向とにそれぞれデジタル変換する変換手段と、
与えられた水平拡大率と垂直拡大率を用いて、前記変換手段が垂直方向と水平方向とにデジタル変換した前記映像信号の水平ラインの間の画素数と垂直ラインの間の画素数を変換し、前記ディスプレイ装置に出力する画像拡大手段と、
前記伝送方式識別手段が識別した前記映像信号の伝送方式に応じて定めた標本化周波数を前記変換手段に与える第一制御手段と、
前記ディスプレイ装置の画面方式と前記映像信号の伝送方式とに応じて個々に定めた水平内挿率と垂直内挿率を前記画像拡大手段に与える第二制御手段とを備えることを特徴とする映像信号処理装置を提供する。
【００１５】
本発明に係る映像信号処理装置によれば、前記映像信号の伝送方式に応じて定めた標本化周波数を用いて前記映像信号がデジタル変換され、かつ、前記ディスプレイ装置の画面方式と前記映像信号の伝送方式とに応じて個々に定めた水平拡大率と垂直拡大率とを用いて前記映像信号の水平ラインの間の画素数と垂直ラインの間の画素数とが変換されるので、任意の伝送方式の映像信号を任意の画面方式のディスプレイ装置に適合するように変換することができる。従って、本映像信号処理装置を用いれば、前記ディスプレイ装置の画面上に鮮明で違和感のない映像の再生することができる。
【発明の効果】
【００１６】
本発明に係る映像信号処理装置によれば、任意の画面方式のディスプレイに、任意の伝送方式の映像信号の表す映像を適正に且つ鮮明に表示させることができる。
【発明を実施するための最良の形態】
【００１７】
以下、添付の図面を参照しながら、本発明に係る実施の一形態について説明する。
【００１８】
まず、図１により、本実施の形態に係る映像表示システムの基本構成について説明する。
【００１９】
本映像表示システムは、任意の伝送方式の映像信号Ｂを出力する映像信号出力機器(不図示)と、任意の画面方式の液晶ディスプレイ装置８と、映像信号出力機器が出力した映像信号Ｂを変換する映像信号処理装置９とにより構成されている。尚、ここいう画面方式とは、アスペクト比や解像度等のパラメータにより定義される液晶ディスプレイ装置の特性を表していることとする。
【００２０】
そして、本映像表示システムの特徴部分である映像信号処理装置９は、映像出力機器が出力する映像信号Ｂが入力される映像信号入力端子１と、映像信号入力端子１から入力された映像信号Ｂを任意のサンプリング周波数でデジタル変換するＡ／Ｄ変換器２と、Ａ／Ｄ変換器２のサンプリング周波数を作成するＰＬＬ回路３と、所定の外部機器が出力する識別信号Ｃを受信する入力端子４と、Ａ／Ｄ変換器２がデジタル変換した映像信号Ｂに対して任意の垂直拡大率の垂直拡大処理を施す垂直拡大回路５と、垂直拡大回路５に垂直拡大処理を施された映像信号Ｂに対して任意の水平拡大率の水平拡大処理を施す水平拡大回路６と、垂直拡大回路５と水平拡大回路６を制御するコントローラ７とを備える。尚、ここでいう「識別信号Ｃ」とは、映像信号の伝送方式を識別するための信号のことであり、例えば、映像信号Ｂを入力すべき映像入力端子を切り換えるための操作に伴って発生する信号(ユーザが操作するリモコンから発信される信号等)をこれとして利用することができる。或るいは、個々の映像信号入力端子が所定の伝送方式の映像信号Ｂの入力のみを受け付けるように設定されている場合には、外部機器が発信する信号を識別信号Ｃとして受け付ける必要はない。例えば、コントローラ７自身が、映像信号出力機器から映像信号Ｂの入力を受け付けている映像信号入力端子がいずれの端子であるかを検出し、その結果に応じて映像信号Ｂの伝送方式を特定するようにしても構わない。
【００２１】
そして、映像信号処理装置９に内蔵されているＰＬＬ回路３は、映像信号入力端子１から入力された映像信号Ｂの水平同期信号(または、垂直同期信号)にロックされ、Ａ／Ｄ変換器２に対して、任意の伝送方式の映像信号Ｂに位相同期したサンプリング周波数を与えるようになっている。即ち、本ＰＬＬ回路３は、識別信号入力端子４から入力された識別信号Ｃに基づいて、映像信号出力機器から入力されている映像信号Ｂの伝送方式を識別することにより、映像信号入力端子１から入力されている映像信号Ｂの伝送方式に対応付けられた分周比を用いて、映像信号入力端子１から入力された映像信号Ｂと位相比較する基準周波数を分周することができるように構成されている。従って、後段のＡ／Ｄ変換器２には、映像信号出力機器から入力されている映像信号Ｂのデジタル変換に最適なサンプリング周波数(特に、映像信号Ｂの周波数の２倍以上、液晶ディスプレイ装置の走査線の水平周波数以下のサンプリング周波数が好ましい)が与えられるため、本映像処理装置９は、従来技術の欄で説明した映像信号処理装置(以下、従来の映像信号処理装置と呼ぶ)と異なり、原映像信号Ｂに含まれている情報を間引いてしまうことがない。即ち、本映像信号処理装置９は、従来の映像信号処理装置とは異なり、処理の過程に於いて解像度を低下させるという欠点を有さない。
【００２２】
また、垂直拡大回路５は、Ａ／Ｄ変換器２によってデジタル変換された映像信号Ｂの垂直ラインの間に任意の内挿率で補間画素を内挿していく周知の回路構成を有している(図２参照)。即ち、本垂直拡大回路５は、１フィールド分の映像信号Ｂの遅延を実現するフィールドメモリ２００と、１水平ライン分の映像信号Ｂの遅延を実現するラインメモリ２０１と、フィールドメモリ２００に記憶されている映像信号Ｂの１水平ライン分の情報に係数ａを乗算する係数器２０２と、ラインメモリ２０１に記憶されている１水平ライン分の映像信号に係数ｂを乗算する係数器２０３と、２つの係数器２０２,２０３から出力される信号を加算する加算器２０４とから構成されており、２つのメモリ２００,２０１の読み出し/書き込みのタイミングを制御する制御指令Ｄ1,Ｄ2と、２つの係数器２０２,２０３の使用している係数ａ,ｂを切り換えるタイミングを制御する制御指令Ｄ3,Ｄ4とが、後述のコントローラ７からそれぞれ与えられるようになっている。
【００２３】
一方、水平拡大回路６は、垂直拡大回路５から出力される映像信号Ｂの水平ラインの間に任意の内挿率で補間画素を内挿していく周知の回路構成を有している。即ち、本水平拡大回路６は、１水平ライン分の映像信号Ｂの遅延を実現するラインメモリと、１画素分の映像信号Ｂの遅延を実現する画素メモリと、ラインメモリに記憶されている映像信号Ｂの１画素分の情報に係数ａ'を乗算する係数器と、画素メモリに記憶されている１画素分の映像信号Ｂに係数ｂ'を乗算する係数器と、２つの係数器から出力される信号を加算する加算器とから構成されており、２つのメモリの読み出し/書き込みのタイミングを制御する制御指令Ｄ1',Ｄ2'と、２つの係数器の使用している係数ａ',ｂ'を切り換えるタイミングを制御する制御指令Ｄ3',Ｄ4'も、垂直拡大回路５と同様に、後述のコントローラ７からそれぞれ与えられるようになっている。
【００２４】
さて、識別信号入力端子４が識別信号Ｃを受信すると、コントローラ７は、まず、この識別信号Ｃに基づいて、映像信号出力機器から入力されている映像信号Ｂの伝送方式を識別する。そして、予め準備しておいたテーブルから、現在接続されている液晶ディスプレイ装置８の画面方式と、ここで判別した映像信号Ｂの伝送方式とに対応付けられている垂直拡大率Ｋ1と水平拡大率Ｋ2を引き出す。
【００２５】
尚、ここでいうテーブルとは、実験データ等に基づいて決定した垂直拡大率と水平拡大率を、液晶ディスプレイ装置の画面方式と映像信号の伝送方式とに対応付けて記録しておいたものであり、液晶ディスプレイ装置の画面方式と映像信号の伝送方式とを検索キーとして、最適な垂直拡大率と水平拡大率との組合せを引き出すことができるようになっている。そして、コントローラ７は、このとき引き出した垂直拡大率Ｋ1を用いて、垂直拡大回路５のフィールドメモリ２００とラインメモリ２０１の読み出し/書き込みのタイミングと、２つの係数器２０２,２０３の使用している係数ａ,ｂを切り換えるタイミングをそれぞれ算出すると共に、このとき引き出した水平拡大率Ｋ2を用いて、水平拡大回路６のラインメモリと画素メモリの読み出し/書き込みのタイミングと、２つの係数器の使用している係数ａ',ｂ'を切り換えるタイミングとを算出する。そして、コントローラ７は、垂直拡大率Ｋ1を用いて算出したタイミングに従って、垂直拡大回路５に前述の制御指令Ｄ1,Ｄ2，Ｄ3,Ｄ4を与えた後、更に、水平拡大率Ｋ2を用いて算出したタイミングに従って、水平拡大回路６に前述の制御指令Ｄ1',Ｄ2'，Ｄ3',Ｄ4'を与える。
【００２６】
このようコントローラ７が、現在入力されている映像信号Ｂの伝送方式と、現在使用しているディスプレイ装置の画面方式とに応じて、最適な垂直拡大率と水平拡大率の組合せを決定するため、映像出力機器から入力されている映像信号Ｂにとって好ましいとされる画面のアスペクト比と、現在使用している液晶ディスプレイ装置８の画面のアスペクト比とが相違している場合であっても、垂直拡大回路５と水平拡大回路６とにおいては、両者のアスペクト比の相違を相殺するような適正な拡大処理が実行される。即ち、本映像信号処理装置９を用いれば、液晶ディスプレイ装置８の画面には、常に、ゆがみのない映像が再生される。
【００２７】
本映像表示システムは、このような機能を有する映像信号処理装置を含んでいるため、任意の伝送方式の映像信号の表す映像を、任意の画面方式のディスプレイに適正に且つ鮮明に表示することができる。
【００２８】
以上で、本実施の形態に係る映像表示システムの基本構成についての説明を終わる。尚、本実施の形態で使用した３つの回路、即ち、水平方向拡大回路と垂直方向拡大回路とコントローラの機能は、ＤＳＰやマイコン等によっても実現することが可能である。また、本実施の形態では、液晶ディスプレイ装置を使用したが、その他のディスプレイ装置、例えばプラズマディスプレイ等を含む映像表示システムに適用した場合であって、液晶ディスプレイ装置を使用した場合と変わらぬ効果を得ることができる。
【００２９】
ところで、本実施の形態では、Ａ／Ｄ変換器２でデジタル変換された映像信号Ｂに対して、まず、垂直方向拡大処理を施した後、更に、水平方向拡大処理を施すようにしているが、必ずしも、この通りの順番で拡大処理を施す必要はない。例えば、Ａ／Ｄ変換器２でデジタル変換された映像信号Ｂに対して、まず、水平方向拡大処理を施した後、更に、垂直方向拡大処理を施すようにしても構わない。即ち、図３に示すように、映像信号処理装置９の回路配置、即ち、水平拡大回路３０１と垂直拡大回路３０２の配置を変更しても構わない。但し、この場合には、コントローラ７は、水平拡大回路３０１に前述の制御指令Ｄ1',Ｄ2'，Ｄ3',Ｄ4'を与えた後に、垂直拡大回路３０２に前述の制御指令Ｄ1,Ｄ2，Ｄ3,Ｄ4を与えることになる。
【００３０】
或るいは、図４に示すように、垂直方向拡大回路と水平方向拡大回路の代用として、映像信号Ｂに対して水平方向拡大処理と垂直方向拡大処理とを同時に施す垂直水平拡大回路４０１を使用しても構わない。尚、上記垂直方向拡大回路が有する機能と上記水平方向拡大回路が有する機能を同時に実現することができるように、ここで用いる垂直水平拡大回路４０１には、フィールドメモリとラインメモリと画素メモリと４つの係数器と加算器とが搭載されている。また、この場合には、コントローラ７は、３つのメモリの読み出し/書き込みのタイミングを制御する制御指令と、４つの係数器の使用している係数を切り換えるタイミングを制御する制御指令とを、垂直水平拡大回路４０１に与えることになる。
【００３１】
以下、より具体的な例を挙げながら、本実施の形態に係る映像表示システムを採用することにより得られる効果について説明する。但し、ここで用いる各数値は、一例として与えたものであり、実際には、これと異なる数値を用いる場合もある。
【００３２】
図１の映像信号処理装置９に対して、ＸＧＡモードの液晶ディスプレイ装置と、パソコン映像信号を出力する映像出力機器とがそれぞれ接続されている場合に、所定の外部機器が出力する識別信号Ｃが識別信号入力端子４に入力されると、ＰＬＬ回路３とコントローラ７は、それぞれ、識別信号入力端子４に入力された識別信号Ｃによって、映像入力端子１に入力されている映像信号Ｂがパソコン映像信号であることを認識する。
【００３３】
そして、ＰＬＬ回路３は、基準周波数(通常、８９．６４Ｍｈｚ)を分周する分周比として、現在入力されている映像信号Ｂの伝送方式「パソコン映像信号」に対応付けられている第一基準値(通常、７／２５)を選択する。その結果、Ａ／Ｄ変換器２には、パソコン映像信号のデジタル変換に最適なサンプリング周波数(８００×ｆｈ ｈｚ)が与えられる。
【００３４】
一方、コントローラ７は、予め準備しておいたテーブルから、現在接続されている液晶ディスプレイ装置の画面方式「ＸＧＡモード」と、現在入力されている映像信号Ｂの伝送方式「パソコン映像信号Ｂ」とに対応付けられている垂直拡大率Ｋ1(７６８／４８０倍、即ち１．６倍)と水平拡大率Ｋ2(１０２４／６４０倍、即ち１．６倍)の組合せを引き出す。そして、コントローラ７は、垂直拡大率Ｋ1(１．６倍)から算出したタイミングで、前述の制御指令Ｄ1,Ｄ2を垂直拡大回路５に与えた後、更に、水平拡大率Ｋ2(１．６倍)を用いて算出したタイミングで前述の制御指令Ｄ3,Ｄ4を水平拡大回路６に与える。その結果、垂直拡大回路５と水平拡大回路６とにおいて実行される垂直拡大処理と水平拡大処理によって、本来所定の表示領域(６４０×４８０ドット)に適した大きさを有するパソコン映像信号の表す映像は、図５に示すように、ＸＧＡモードの液晶ディスプレイ装置の表示画面(１０２４×７６８ドット)に適した大きさに拡大される。即ち、ＸＧＡモードの液晶ディスプレイ装置には、従来通りの違和感のないパソコン映像が表示される。
【００３５】
さて、このとき、パソコン映像信号Ｂを出力する映像出力機器に代えて、ＮＴＳＣ方式の倍速カラーテレビ信号を出力する映像出力機器を、図１の映像信号処理装置９に接続する。その後、所定の外部機器が出力する識別信号Ｃが識別信号入力端子４に入力されると、ＰＬＬ回路３とコントローラ７は、それぞれ、識別信号入力端子４に入力された識別信号Ｃによって、映像入力端子１に入力されている映像信号Ｂが、ＮＴＳＣ方式の倍速カラーテレビ信号となったことを認識する。それに伴って、ＰＬＬ回路３は、基準周波数(通常、８９．６４Ｍｈｚ)を分周する分周比として、現在入力されている映像信号Ｂの伝送方式「ＮＴＳＣ方式の倍速カラーテレビ信号」に対応付けられている第二基準値(通常、８／２)を選択する。その結果、Ａ／Ｄ変換器２には、新たに、ＮＴＳＣ方式の倍速カラーテレビ信号のデジタル変換に最適なサンプリング周波数(９１０×ｆｈ ｈｚ)、即ち、原映像信号に含まれている情報を間引くことのないサンプリング周波数が与えられる。一方、コントローラ７は、予め準備しておいたテーブルから、現在接続されている液晶ディスプレイ装置の画面方式「ＸＧＡモード」と、現在入力されている映像信号Ｂの伝送方式「ＮＴＳＣ方式の倍速カラーテレビ信号」とに対応付けられている垂直拡大率Ｋ1(７６８／４８０倍、即ち１．６倍)と水平拡大率Ｋ2(１０２４／７２８倍、即ち１．４倍)の組合せを引き出す。そして、コントローラ７は、新たに垂直拡大率Ｋ1(１．６倍)から算出したタイミングで、前述の制御指令Ｄ1,Ｄ2を垂直拡大回路５に与えた後、更に、新たに水平拡大率Ｋ2(１．４倍)を用いて算出したタイミングで前述の制御指令Ｄ3,Ｄ4を水平拡大回路６に与える。その結果、垂直拡大回路５と水平拡大回路６とにおいて実行される垂直拡大処理と水平拡大処理によって、本来所定の表示領域(７２８×４８０ドット)に適した大きさを有するＮＴＳＣ方式の倍速カラーテレビ信号の表す映像は、図６に示すように、ＸＧＡモードの液晶ディスプレイ装置の表示画面(１０２４×７６８ドット)に適した大きさに拡大される。即ち、入力される映像信号Ｂの伝送方式がＮＴＳＣ方式の倍速カラーテレビ信号に変更されても、ＸＧＡモードの液晶ディスプレイ装置には違和感のない鮮明なテレビジョン映像が表示される。
【００３６】
ところで、この場合には、ＰＬＬ回路３が用いる第二基準値として、９／２０を設定し、コントローラ７が選択する垂直拡大率Ｋ1と水平拡大率Ｋ2として、７６８／４８０倍(即ち１．６倍)と１０２４／１０２４倍(即ち、１倍)を設定しても構わない。本設定の場合にも、結果的には、Ａ／Ｄ変換器２には、ＮＴＳＣ方式の倍速カラーテレビ信号に含まれている情報を間引くことのないサンプリング周波数(１２８０×ｆｈ ｈｚ)が与えられ、且つ、垂直拡大回路５と水平拡大回路６とにおいて実行される垂直拡大処理と水平拡大処理によって、本来所定の表示領域(１０２４×４８０ドット)に適した大きさを有するＮＴＳＣ方式の倍速カラーテレビ信号の表す映像が、図７に示すように、ＸＧＡモードの液晶ディスプレイ装置の表示画面(１０２４×７６８ドット)に適した大きさに拡大されることになる。
【００３７】
さて、このとき、更に、ＮＴＳＣ方式の倍速カラーテレビ信号を出力する映像出力機器に代えて、図１の映像信号処理装置９に、ＭＵＳＥ方式のハイビジョン映像信号を出力する映像出力機器を接続する。その後、所定の外部機器が出力する識別信号Ｃが識別信号入力端子４に入力されると、ＰＬＬ回路３とコントローラ７は、それぞれ、識別信号入力端子４に入力された識別信号Ｃによって、映像入力端子１に入力されている映像信号Ｂが、ＭＵＳＥ方式のハイビジョン映像信号となったことを認識する。それに伴って、ＰＬＬ回路３は、基準周波数(８９．６４Ｍｈｚ)を分周する分周比として、現在入力されている映像信号Ｂの伝送方式「ＭＵＳＥ方式のハイビジョン映像信号」に対応付けられている第三基準値(通常、１／２)を選択する。その結果、Ａ／Ｄ変換器２には、新たに、ＭＵＳＥ方式のハイビジョン映像信号のデジタル変換に最適なサンプリング周波数(１３２８×ｆｈ ｈｚ)、即ち、原映像信号に含まれている情報を間引くことのないサンプリング周波数が与えられる。一方、コントローラ７は、予め準備しておいたテーブルから、現在接続されている液晶ディスプレイ装置の画面方式「ＸＧＡモード」と、現在入力されている映像信号Ｂの伝送方式「ＭＵＳＥ方式のハイビジョン映像信号」とに対応付けられている垂直拡大率Ｋ1(７６８／５１６倍、即ち１．４８倍)と水平拡大率Ｋ2(１０２４／１０２４倍、即ち１倍)の組合せを引き出す。そして、コントローラ７は、新たに垂直拡大率Ｋ1(１．４８倍)から算出したタイミングで、前述の制御指令Ｄ1,Ｄ2を垂直拡大回路５に与えた後、更に、新たに水平拡大率Ｋ2(１倍)を用いて算出したタイミングで前述の制御指令Ｄ3,Ｄ4を水平拡大回路６に与える。その結果、垂直拡大回路５と水平拡大回路６とにおいて実行される垂直拡大処理と水平拡大処理によって、本来所定の表示領域(１０２４×５１６ドット)に適した大きさを有するＭＵＳＥ方式のハイビジョン映像信号の表す映像は、図８に示すように、ＸＧＡモードの液晶ディスプレイ装置の表示画面(１０２４×７６８ドット)に適した大きさに拡大される。即ち、入力される映像信号Ｂの伝送方式がＭＵＳＥ方式のハイビジョン映像信号に変更されても、ＸＧＡモードの液晶ディスプレイ装置には違和感のない鮮明なハイビジョン映像が表示される。
【００３８】
このように、本映像表示システムにおいては、任意の伝送方式の映像信号に対して、それぞれ、適正なデジタル変換処理及び適切な拡大処理を施すことができる。即ち、任意の伝送方式の映像信号の表す映像を適正に且つ鮮明に表示させることができるという効果を得ることができる。
【００３９】
尚、ここでは、ＸＧＡモードの液晶ディスプレイ装置を用いた場合を例に挙げて上記効果について説明したが、他のモードの液晶ディスプレイ装置、例えば、ＶＧＡモードの液晶ディスプレイ装置や、ＳＶＧＡモードの液晶ディスプレイ装置を用いた場合であっても、ＸＧＡモードの液晶ディスプレイ装置を用いた場合と同様な効果を得ることができる。
【００４０】
本発明に係る映像信号処理装置によれば、任意の画面方式のディスプレイに、任意の伝送方式の映像信号の表す映像を適正に且つ鮮明に表示させることができる。
【図面の簡単な説明】
【００４１】
【図１】本発明の実施の形態に係る映像表示システムの基本構成の一例を示した図である。
【図２】図１の垂直拡大回路の基本構成を示した図である。
【図３】本発明の実施の形態に係る映像表示システムの基本構成の一例を示した図である。
【図４】本発明の実施の形態に係る映像表示システムの基本構成の一例を示した図である。
【図５】水平拡大処理と垂直拡大処理を説明するための図である。
【図６】水平拡大処理と垂直拡大処理を説明するための図である。
【図７】水平拡大処理と垂直拡大処理を説明するための図である。
【図８】水平拡大処理と垂直拡大処理を説明するための図である。
【図９】従来の映像表示システムの基本構成を示した図である。
【符号の説明】
【００４２】
１…映像信号入力端子
２…Ａ／Ｄ変換器
３…ＰＬＬ回路
４…識別信号入力端子
５…垂直拡大回路
６…水平拡大回路
７…コントローラ
８…液晶ディスプレイ装置
【図１】
2004355013.tif 000003
【図２】
2004355013.tif 000004
【図３】
2004355013.tif 000005
【図４】
2004355013.tif 000006
【図５】
2004355013.tif 000007
【図６】
2004355013.tif 000008
【図７】
2004355013.tif 000009
【図８】
2004355013.tif 000010
【図９】
2004355013.tif 000011
【手続補正書】
【提出日】平成16年8月23日(2004.8.23)
【手続補正１】
【補正対象書類名】特許請求の範囲
【補正対象項目名】全文
【補正方法】変更
【補正の内容】
【特許請求の範囲】
【請求項１】
入力された映像信号に基づき表示デバイスに映像を表示する映像表示装置において、
前記入力映像信号を水平方向、垂直方向に拡大する拡大処理回路と、
前記入力映像信号の種別を識別する識別手段と、
映像信号の水平方向の拡大率及び垂直方向の拡大率の組み合わせを、前記入力映像信号の種別と対応付けて予め記憶する記憶手段と、
前記識別手段により識別された映像信号の種別に対応する前記水平方向の拡大率及び垂直方向の拡大率の組み合わせを前記記憶手段から引き出し、該引き出された拡大率の組み合わせを用いて、前記拡大処理回路を制御する制御回路と、
を備えることを特徴とする映像表示装置。
【請求項２】
入力された映像信号に基づき表示デバイスに映像を表示する映像表示装置において、
前記入力映像信号を水平方向、垂直方向に拡大する拡大処理回路と、
前記入力映像信号の種別を識別する識別手段と、
映像信号の水平方向の拡大率及び垂直方向の拡大率の組み合わせを、前記入力映像信号の種別及び前記表示デバイスの画面方式と対応付けて予め記憶する記憶手段と、
前記識別手段により識別された映像信号の種別に対応する前記水平方向の拡大率及び垂直方向の拡大率の組み合わせを前記記憶手段から引き出し、該引き出された拡大率の組み合わせに従って、前記拡大処理回路を制御するコントローラと、
を備えることを特徴とする映像表示装置。
【請求項３】
入力された映像信号に基づき表示デバイスに映像を表示する映像表示装置において、
前記入力映像信号を水平方向、垂直方向に拡大する拡大処理回路と、
映像信号の水平方向の拡大率及び垂直方向の拡大率の組み合わせを、前記入力映像信号の種別と対応付けて予め記憶する記憶手段と、
前記入力映像信号の種別を識別する手段を含み、該識別された映像信号の種別に対応する前記水平方向の拡大率及び垂直方向の拡大率の組み合わせを前記記憶手段から引き出し、該引き出された拡大率の組み合わせを用いて、前記拡大処理回路を制御するコントローラと、
を備えることを特徴とする映像表示装置。
【請求項４】
入力された映像信号に基づき表示デバイスに映像を表示する映像表示装置において、
前記入力映像信号を水平方向、垂直方向に拡大する拡大処理回路と、
映像信号の水平方向の拡大率及び垂直方向の拡大率の組み合わせを、前記入力映像信号の種別及び前記表示デバイスの画面方式と対応付けて予め記憶する記憶手段と、
前記入力映像信号の種別を識別する手段を含み、該識別された映像信号の種別に対応する前記水平方向の拡大率及び垂直方向の拡大率の組み合わせを前記記憶手段から引き出し、該引き出された拡大率の組み合わせを用いて、前記拡大処理回路を制御するコントローラと、
を備えることを特徴とする映像表示装置。
【請求項５】
請求項１乃至４のいずれかに記載の映像表示装置であって、前記表示デバイスは１０２４×７６８ドット、前記入力映像信号はパーソナルコンピュータからの映像信号であって、その表示領域が６４０×４８０ドットである場合、前記コントローラは、前記拡大率の組み合わせとして、水平方向の拡大率１.６、垂直方向の拡大率１.６の組み合わせを前記記憶手段から引き出すことを特徴とする映像表示装置。
【請求項６】
請求項１乃至４のいずれかに記載の映像表示装置であって、前記表示デバイスは１０２４×７６８ドット、前記入力映像信号はＮＴＳＣ方式の倍速カラーテレビ信号であって、その表示領域が７２８×４８０ドットである場合、前記コントローラは、前記拡大率の組み合わせとして、水平方向の拡大率１.４、垂直方向の拡大率１.６の組み合わせを前記記憶手段から引き出すことを特徴とする映像表示装置。
【請求項７】
請求項１乃至４のいずれかに記載の映像表示装置であって、前記表示デバイスは１０２４×７６８ドット、前記入力映像信号はハイビジョン映像信号であって、その表示領域が１０２４×５１６ドットである場合、前記コントローラは、前記拡大率の組み合わせとして、水平方向の拡大率１.０、垂直方向の拡大率１.４８の組み合わせを前記記憶手段から引き出すことを特徴とする映像表示装置。